(57)【要約】      （修正有）【課題】従来の真空掃除機用ホースの問題点である電線の過密構造を解消することで、電線の使用量を大幅に減らして、ホースの生産原価を大きく節減させると共にさらに軽量化されながらも柔軟性が良い效果的な構造の真空掃除機用ホースを提供する。【解決手段】いくつかの中空突条らが並んで連設された帯状素材を螺旋状で回巻接着させて真空掃除機用ホースを成形するにおいて、前記中空突条らを電線５が挿入された中空突条４と電線５が挿入されない中空突条４ａで区分させた１本の帯状素材２でホース１を成形するか、または２本の帯状素材２、２でホース１を成形するものの、そのうち１本の帯状素材２のみに電線５を挿入するか、または２本の帯状素材２、２に電線５を分けて挿入することで、電線５が挿入されない中空突条４ａによってホース１に挿入される電線５の所要量が節減されるようにしたものである。【選択図】図９
2006167457.tif 000002
【特許請求の範囲】
【請求項１】
電線が挿入される複数個の中空突条が連設された帯状素材を螺旋状で回巻させて形成する真空掃除機用ホースにおいて、
電線５が挿入された中空突条４の一側に電線５が挿入されない中空突条４ａが一体に連設された帯状素材２によりホース１を成形して電線５の挿入量を節減させたことを特徴とする真空掃除機用ホース。
【請求項２】
中空突条４に電線５が挿入される帯状素材２と、中空突条４に電線５が挿入されない他の１本の帯状素材２を並んで連続巻き回し接着させて電線５の挿入量を節減させたことを特徴とする請求項１記載の真空掃除機用ホース。
【請求項３】
２本の帯状素材２、２にそれぞれ成形された中空突条４、４に必要な電線５らを分けて挿入させて電線５の挿入量を節減させたことを特徴とする請求項１または請求項２記載の真空掃除機用ホース。
【発明の詳細な説明】
【技術分野】
【０００１】
本発明は、電線が挿入されて成形圧出される帯状素材を螺旋状で巻回接着させることで作成される真空掃除機用ホースに関する。
【背景技術】
【０００２】
一般的に真空掃除機用ホースは一定間隔の凹凸断面形状を有するようにダイスで成形圧出させた帯状素材の中空突条内部に電線を挿入して螺旋状で巻き回せることにより、モーターに動力伝達のための通電機能をしている。
【０００３】
このような真空掃除機用ホースには１台のモーターを作動させることで、ほこりや異物などを吸いこむ基本機能のみを備えるように２本の電線を挿入する種類と２台のモーターを作動させることで、ほこりと異物などを吸いこむ基本機能とともに水洗滌機能まで兼ねるように４本の電線を挿入する種類の二つの形態に大別される。
【０００４】
図２１ないし図２８は従来の真空掃除機用ホースを例示して説明したものである。
【０００５】
先ず、図２１は２本の電線５が挿入された帯状素材２を螺旋状で回巻させてホースで成形する過程を示している。
【０００６】
ホース１を成形する帯状素材２は図２２、図２３、図２４、図２５にいろいろな形態で例示されているように１個の隆起された形状の掛け金３と、ここに連設される２個ないし４個の中空突条４で構成されており、これらそれぞれの中空突条４らはそれぞれ１個または２個の電線５が挿入された状態で前記掛け金３と類似した覆い３ａによってお互いに連結されている。
【０００７】
すなわち、図２２には２本の電線５が２個の中空突条４にそれぞれ一つずつ分けられて挿入されており、図２３には４本の電線５が４個の中空突条４にそれぞれ１個ずつ分けられて挿入されており、図２４においてのように電線を一本ずつ分けて挿入した二つの中空突条４と２本の電線５とが共に挿入された一本の中空突条４で成す形態になっている。
【０００８】
そして、図２５には４本の電線５が２個の中空突条４にそれぞれ２本ずつ挿入された形態になっている。
【０００９】
前記のような形態に構成された帯状の帯状素材２らはそれぞれ図２１においてのように螺旋状にこれを回巻して各帯状素材２の一側端に位置する掛け金３が他側端の中空突条４の上面を囲みながら重ねることにより、結局図２６、図２７、図２８に示されたようにそれぞれの中空突条４らすべてには電線５が１個または２個ずつ必ず挿入される形態の真空掃除機用ホース１を構成するようになっていた。
【００１０】
すなわち、図２６は図２２と図２３の場合のようにそれぞれの中空突条４に１本ずつ電線５が挿入された場合であり、図２７は図２４の場合のように４本の電線５が３個の中空突条４のうち１個の中空突条４には２本が、残り２個の中空突条４にはそれぞれ１本ずつ挿入された場合であり、図２８は図２５の場合のように４本の電線５が２個の中空突条４にそれぞれ２本ずつ挿入された場合を示している。
【００１１】
したがって、前記図面らに示されたように従来の真空掃除機用ホースは全長にわたり巻き回された突起ごとに１〜２本ずつの電線５が全部挿入される結果になって、これは電線５の主機能がモーターに動力を伝達するための通電用に局限された点を鑑みる時、電線の挿入長さが必要以上に長くなることで浪費要素を持っていた。
【００１２】
さらに、電線５は高価の銅線をその材料とするものであるために、電線５の使用量が多くなるほど製品の生産原価も高くなるので、電線の浪費要素が多い従来の真空掃除機用ホースは何よりも経済的な面でその效率性が低い問題点があり、また単位重量が相対的に増加されることにより運搬や取り扱い上にも不利な面があるものであった。
【００１３】
なお、このような一定間隔の凹凸断面形状を有するようにダイスで成形圧出させた帯状素材の中空突条内部に電線を挿入して螺旋状で巻き回せる真空掃除機用ホースに関する特許文献は存在しない。
【発明の開示】
【発明が解決しようとする課題】
【００１４】
本発明は前述したような従来の真空掃除機用ホースの問題点である電線の過密構造を解消することで、電線の使用量を大幅に減らして、ホースの生産原価を大きく節減させると共にさらに軽量化されながらも柔軟性が良い效果的な構造の真空掃除機用ホースを提供することにその目的がある。
【課題を解決するための手段】
【００１５】
前記したような目的達成のための本発明は、第１に、電線が挿入される複数個の中空突条が連設された帯状素材を螺旋状で回巻させて形成する真空掃除機用ホースにおいて、電線５が挿入された中空突条４の一側に電線５が挿入されない中空突条４ａが一体に連設された帯状素材２によりホース１を成形して電線５の挿入量を節減させたこと、第２に、中空突条４に電線５が挿入される帯状素材２と、中空突条４に電線５が挿入されない他の１本の帯状素材２を並んで連続巻き回し接着させて電線５の挿入量を節減させたこと、第３に、２本の帯状素材２、２にそれぞれ成形された中空突条４、４に必要な電線５らを分けて挿入させて電線５の挿入量を節減させたことを要旨とするものである。
【００１６】
本発明によれば、このように帯状素材２を１本だけでなく、二本でも成形することができるということは、三本以上でも成形することができるというものであり、これは必要に応じて自由に選択するものである。
【発明の効果】
【００１７】
本発明は、中空突条４内に挿入されて真空掃除機用ホースに螺旋状で回巻されられる電線の所要量を従来より大幅に節減させるようにすることで高価の電線５を使用することによるホースの生産原価を大幅に低減させることができる、経済的效果を得ることができる。
【発明を実施するための最良の形態】
【００１８】
以下、添付された図面によって本発明の具体的な構成をさらに詳細に説明する。
図１ないし図４は本発明の望ましい実施例らを例示しているものの、電線５が挿入された突起としての中空突条４と電線５が挿入されない中空突条４ａを並んで連設して構成された帯状素材２を螺旋状に巻き回せてホースを成形する状態を提示している。
【００１９】
すなわち、図１の帯状素材２はそれぞれ１本ずつの電線５が挿入された２個の中空突条４と電線５が挿入されない１個の中空突条４ａでなされたものを示しているし、同様に図２は、それぞれ１本ずつの電線５が挿入された４個の中空突条４と電線５が挿入されない１個の中空突条４ａで、図３は電線５が１本ずつ挿入された２個の中空突条４と２本が挿入された１個の中空突条４、そして電線５が挿入されない１個の中空突条４ａで構成され、図４はそれぞれ２本ずつの電線５が挿入された２個の中空突条４と電線５が挿入されない１個の中空突条４ａでなされている。
【００２０】
また、図１０の帯状素材２はそれぞれ１本ずつの電線５が挿入された２個の中空突条４と電線５が挿入されない２個の中空突条４ａでなされているし、同様に図１１はそれぞれ１本ずつの電線５が挿入された４個の中空突条４と電線５が挿入されない２個の中空突条４ａで、図１２は電線５が１本ずつ挿入された４個の中空突条４と２本が挿入された１個の中空突条４及び電線５が挿入されない２個の中空突条４ａで構成され、図１３はそれぞれ２本ずつの電線５が挿入された２個の中空突条４と２本の電線５が挿入された１個の中空突条４および電線５が挿入されない２個の中空突条４ａでなされているものである。
【００２１】
上記に説明された本発明での各帯状素材２らは図１に示したように、１本の帯状素材２を螺旋状で回巻させる場合を説明したものであり、この時左側端に位置する掛け金３が右側端の中空突条４ａを囲みながら重畳接着されることで、真空掃除機用ホース１を成形するようになる。
【００２２】
前記した各類型別の帯状素材２らによってそれぞれ成形されたホース１に対応して電線５らがホース１の帯状長さ当たりに配列された状態を説明すると、先ず、図６は図２に対応される帯状素材２の場合であり、電線が挿入されない中空突条４ａが１個のみ形成された帯状素材２によって回巻された場合であり、図６に示すように電線５が挿入された中空突条４の２本に１本の割合で電線５配列が抜けるようになることで、結局ホース１の全体長さに配列される電線５の全長は従来の場合より略１／３が節減されるものである。
【００２３】
同様に、図７、図８は前記図２、図４に示す類型の帯状素材２によって成形されたホース１の場合であり、これらはすべて中空突条４の４本電線５に１本の割合で電線５配列が抜けるようになることで、従来の場合より電線５の所要量が１／５程度節減されるものである。
【００２４】
また、図９は図５に示す類型の帯状素材２によって成形されたホース１の場合であり、２本ずつ電線５が挿入された中空突条４の２本に１本の割合で電線５配列が抜けるようになることで従来の場合より電線５の所要量が１／３程度節減されるものである。
【００２５】
そして、図１４の場合は図１０、すなわち電線５が挿入されない中空突条４ａが２個連設された帯状素材２によって成形されたホース１の場合であって、図１４に示すように電線５が挿入された中空突条４の２本に２本の割合で電線５配列が抜けるようになって、従来より１／２程度電線５の所要量が節減されることを説明している。
【００２６】
また、図１５ないし図１７は、図１０ないし図１２に示す類型の帯状素材２で成形されたホース１の場合であって、これらはすべて４本の電線５が挿入された中空突条４に２本の割合、又、３本に２本、２本に２本の割合で電線５配列が抜けるようになることで、従来より電線５の所要量が図１５と図１６の場合には１／３程度、図１７の場合には１／２が節減されることを説明している。
【００２７】
前記した実施例で分かるように、帯状素材２の電線５が挿入される中空突条４に並んで連設される電線５が挿入されない中空突条４ａの個数が多くなるほど、ホース長さ当たり電線５の節減量はさらに増加されることを分かる。
【００２８】
したがって、本発明では前記した実施例に限ることなく、電線５が挿入されない中空突条４ａを３個またはその以上にもすることができることは勿論である。
【００２９】
また、本発明は２本の帯状素材２、２を並んで連続巻き回せて真空掃除機用ホース１を成形するものの、電線５が挿入された中空突条４と電線５が挿入されない中空突条４ａの実施例を図１７、図１８、図１９、図２０に例示説明している。
【００３０】
すなわち、図１８、図１９でのように１本の帯状素材２に形成された中空突条４には電線５が分けて挿入され、他の１本の帯状素材２の中空突条４には電線５を挿入されない状態で前記２本の帯状素材２、２を並んで連続巻き回せて連接部分を接着することでホース１の長さ当たり電線５の所要量が節減されるものである。
【００３１】
また、図１９、図２０でのように２本の帯状素材２、２を並んで連続巻き回せて真空掃除機用ホース１を成形するものの、各帯状素材２、２の中空突条４、４に必要な電線５を分けて挿入させることで、電線５の所要量を節減させるものである。
【００３２】
本発明で中空突条４、４ａはその記述内容説明の便宜上電線５が挿入されたものを中空突条４で表記し、電線５が挿入されないものは中空突条４ａで表記しているが、４ａにも電線５は挿入されることもでき、４にも電線５が挿入されないこともあり、４と４ａは同一な構造の中空突条である。
【００３３】
以上では本発明を実施例によって詳細に説明したが、本発明は実施例によって限定されず、本発明が属する技術分野において通常の知識を有するものであれば本発明の思想と精神を離れることなく、本発明を修正または変更できるであろう。
【図面の簡単な説明】
【００３４】
【図１】本発明での帯状素材らを例示した断面図である。
【図２】同じく、本発明での帯状素材らを例示した断面図である。
【図３】同じく、本発明での帯状素材らを例示した断面図である。
【図４】同じく、本発明での帯状素材らを例示した断面図である。
【図５】図１、図２、図３、図４に例示した帯状素材をそれぞれ螺旋回巻させてなされたホースに電線が配列された状態を示す説明図である。
【図６】同じく、図１、図２、図３、図４に例示した帯状素材をそれぞれ螺旋回巻させてなされたホースに電線が配列された状態を示す説明図である。
【図７】同じく、図１、図２、図３、図４に例示した帯状素材をそれぞれ螺旋回巻させてなされたホースに電線が配列された状態を示す説明図である。
【図８】同じく、図１、図２、図３、図４に例示した帯状素材をそれぞれ螺旋回巻させてなされたホースに電線が配列された状態を示す説明図である。
【図９】本発明で帯状素材らの他の実施例を示す説明図である。
【図１０】同じく、本発明で帯状素材らの他の実施例を示す説明図である。
【図１１】同じく、本発明で帯状素材らの他の実施例を示す説明図である。
【図１２】同じく、本発明で帯状素材らの他の実施例を示す説明図である。
【図１３】図９、図１０、図１１、図１２に例示した帯状素材をそれぞれ螺旋回巻させてなされたホースに電線が配列された状態を示す説明図である。
【図１４】同じく、図９、図１０、図１１、図１２に例示した帯状素材をそれぞれ螺旋回巻させてなされたホースに電線が配列された状態を示す説明図である。
【図１５】同じく、図９、図１０、図１１、図１２に例示した帯状素材をそれぞれ螺旋回巻させてなされたホースに電線が配列された状態を示す説明図である。
【図１６】同じく、図９、図１０、図１１、図１２に例示した帯状素材をそれぞれ螺旋回巻させてなされたホースに電線が配列された状態を示す説明図である。
【図１７】本発明で２本の帯状素材を並んで螺旋回巻させてホースを成形させる場合の電線挿入状態を示す断面図である。
【図１８】同じく、本発明で２本の帯状素材を並んで螺旋回巻させてホースを成形させる場合の電線挿入状態を示す断面図である。
【図１９】同じく、本発明で２本の帯状素材を並んで螺旋回巻させてホースを成形させる場合の電線挿入状態を示す断面図である。
【図２０】同じく、本発明で２本の帯状素材を並んで螺旋回巻させてホースを成形させる場合の電線挿入状態を示す断面図である。
【図２１】電線が挿入されない中空突条が並んで形成された帯状素材を螺旋回巻させた本発明真空掃除機用ホースの一部分例示斜視図である。
【図２２】すべての中空突条内に電線が挿入された従来の帯状素材を各形態に例示した断面図である。
【図２３】同じく、すべての中空突条内に電線が挿入された従来の帯状素材を各形態に例示した断面図である。
【図２４】同じく、すべての中空突条内に電線が挿入された従来の帯状素材を各形態に例示した断面図である。
【図２５】同じく、すべての中空突条内に電線が挿入された従来の帯状素材を各形態に例示した断面図である。
【図２６】図２２、図２３に例示された従来の帯状素材らをそれぞれ螺旋回巻させてなされたホースに電線が配列された状態を示す説明図である。
【図２７】図２４に例示された従来の帯状素材を螺旋回巻させてなされたホースに電線が配列された状態を示す説明図である。
【図２８】図２５に例示された従来の帯状素材を螺旋回巻させてなされたホースに電線が配列された状態を示す説明図である。
【符号の説明】
【００３５】
１  真空掃除機用ホース
２  帯状素材
３  掛け金
４  電線が挿入された中空突条
４ａ  電線が挿入されない中空突条
５  電線
【図１】
2006167457.tif 000003
【図２】
2006167457.tif 000004
【図３】
2006167457.tif 000005
【図４】
2006167457.tif 000006
【図５】
2006167457.tif 000007
【図６】
2006167457.tif 000008
【図７】
2006167457.tif 000009
【図８】
2006167457.tif 000010
【図９】
2006167457.tif 000011
【図１０】
2006167457.tif 000012
【図１１】
2006167457.tif 000013
【図１２】
2006167457.tif 000014
【図１３】
2006167457.tif 000015
【図１４】
2006167457.tif 000016
【図１５】
2006167457.tif 000017
【図１６】
2006167457.tif 000018
【図１７】
2006167457.tif 000019
【図１８】
2006167457.tif 000020
【図１９】
2006167457.tif 000021
【図２０】
2006167457.tif 000022
【図２１】
2006167457.tif 000023
【図２２】
2006167457.tif 000024
【図２３】
2006167457.tif 000025
【図２４】
2006167457.tif 000026
【図２５】
2006167457.tif 000027
【図２６】
2006167457.tif 000028
【図２７】
2006167457.tif 000029
【図２８】
2006167457.tif 000030